(57)【要約】【課題】  ＤＳＳＳ部とＯＦＤＭ部とを最適な状態で動作させる。【解決手段】  ＤＳＳＳ方式およびＯＦＤＭ方式の両方式に対応した無線ＬＡＮ装置における受信方法であって、ＲＳＳＩトリガ、ＯＦＤＭサーチトリガ、ＤＳＳＳサーチトリガのいずれも発生していない場合に両面待ちの状態を維持する工程と、両面待ちの状態でＲＳＳＩトリガが発生した場合にＲＳＳＩ起動によるＯＦＤＭ受信の状態に移行する工程と、ＲＳＳＩ起動によるＯＦＤＭ受信の状態でＯＦＤＭシンクロストリガが発生した場合にＤＳＳＳ受信の状態に移行する工程と、両面待ちの状態でＯＦＤＭサーチトリガが発生した場合にＯＦＤＭサーチ起動によるＯＦＤＭ受信の状態に移行する工程と、ＯＦＤＭサーチ起動によるＯＦＤＭ受信の状態でＤＳＳＳサーチトリガが発生しかつＯＦＤＭシンクロストリガが発生した場合にＤＳＳＳ受信の状態に移行する工程と、両面待ちの状態でＤＳＳＳサーチトリガが発生した場合にＤＳＳＳ受信の状態に移行する工程とを備える。【選択図】  図１
2006295463.tif 000002
【特許請求の範囲】
【請求項１】
ＤＳＳＳ方式およびＯＦＤＭ方式の両方式に対応した無線ＬＡＮ装置における受信方法であって、
ＲＳＳＩトリガ、ＯＦＤＭサーチトリガ、ＤＳＳＳサーチトリガのいずれも発生していない場合に両面待ちの状態を維持する工程と、
両面待ちの状態でＲＳＳＩトリガが発生した場合にＲＳＳＩ起動によるＯＦＤＭ受信の状態に移行する工程と、
ＲＳＳＩ起動によるＯＦＤＭ受信の状態でＯＦＤＭシンクロストリガが発生した場合にＤＳＳＳ受信の状態に移行する工程と、
両面待ちの状態でＯＦＤＭサーチトリガが発生した場合にＯＦＤＭサーチ起動によるＯＦＤＭ受信の状態に移行する工程と、
ＯＦＤＭサーチ起動によるＯＦＤＭ受信の状態でＤＳＳＳサーチトリガが発生しかつＯＦＤＭシンクロストリガが発生した場合にＤＳＳＳ受信の状態に移行する工程と、
両面待ちの状態でＤＳＳＳサーチトリガが発生した場合にＤＳＳＳ受信の状態に移行する工程とを備えたことを特徴とするＤＳＳＳ／ＯＦＤＭ両面待ち受信方法。
【請求項２】
請求項１に記載のＤＳＳＳ／ＯＦＤＭ両面待ち受信方法において、
上記ＲＳＳＩ起動によるＯＦＤＭ受信の状態に移行した後、ＯＦＤＭ受信中に当該ＲＳＳＩ起動によるＯＦＤＭ受信の状態を維持する工程と、
上記ＯＦＤＭサーチ起動によるＯＦＤＭ受信の状態に移行した後、ＯＦＤＭ受信中に当該ＯＦＤＭサーチ起動によるＯＦＤＭ受信の状態を維持する工程と、
上記ＤＳＳＳ受信の状態に移行した後、ＤＳＳＳ受信中に当該ＤＳＳＳ受信の状態を維持する工程とを備えたことを特徴とするＤＳＳＳ／ＯＦＤＭ両面待ち受信方法。
【請求項３】
請求項１または２のいずれか一項に記載のＤＳＳＳ／ＯＦＤＭ両面待ち受信方法において、
上記ＲＳＳＩ起動によるＯＦＤＭ受信の状態に移行した後、ＯＦＤＭエンドトリガが発生した場合に両面待ちの状態に移行する工程と、
上記ＯＦＤＭサーチ起動によるＯＦＤＭ受信の状態に移行した後、ＯＦＤＭエンドトリガもしくはＯＦＤＭシンクロストリガが発生した場合に両面待ちの状態に移行する工程と、
上記ＤＳＳＳ受信の状態に移行した後、ＤＳＳＳエンドトリガが発生した場合に両面待ちの状態に移行する工程とを備えたことを特徴とするＤＳＳＳ／ＯＦＤＭ両面待ち受信方法。
【請求項４】
ＤＳＳＳ方式およびＯＦＤＭ方式の両方式に対応した無線ＬＡＮ装置であって、
ＲＦ部とのインタフェースを行い、ＤＳＳＳ方式の復調を行うＤＳＳＳ部とＯＦＤＭ方式の復調を行うＯＦＤＭ部の動作を制御するＲＦインタフェース部を備え、
当該ＲＦインタフェース部は、ＲＳＳＩトリガ、ＯＦＤＭサーチトリガ、ＤＳＳＳサーチトリガのいずれも発生していない場合に両面待ちの状態を維持させ、
両面待ちの状態でＲＳＳＩトリガが発生した場合にＲＳＳＩ起動によるＯＦＤＭ受信の状態に移行させ、
ＲＳＳＩ起動によるＯＦＤＭ受信の状態でＯＦＤＭシンクロストリガが発生した場合にＤＳＳＳ受信の状態に移行させ、
両面待ちの状態でＯＦＤＭサーチトリガが発生した場合にＯＦＤＭサーチ起動によるＯＦＤＭ受信の状態に移行させ、
ＯＦＤＭサーチ起動によるＯＦＤＭ受信の状態でＤＳＳＳサーチトリガが発生しかつＯＦＤＭシンクロストリガが発生した場合にＤＳＳＳ受信の状態に移行させ、
両面待ちの状態でＤＳＳＳサーチトリガが発生した場合にＤＳＳＳ受信の状態に移行させることを特徴とする無線ＬＡＮ装置。
【請求項５】
請求項４に記載の無線ＬＡＮ装置において、
上記ＲＦインタフェース部は、上記ＲＳＳＩ起動によるＯＦＤＭ受信の状態に移行した後、ＯＦＤＭ受信中に当該ＲＳＳＩ起動によるＯＦＤＭ受信の状態を維持させ、
上記ＯＦＤＭサーチ起動によるＯＦＤＭ受信の状態に移行した後、ＯＦＤＭ受信中に当該ＯＦＤＭサーチ起動によるＯＦＤＭ受信の状態を維持させ、
上記ＤＳＳＳ受信の状態に移行した後、ＤＳＳＳ受信中に当該ＤＳＳＳ受信の状態を維持させることを特徴とする無線ＬＡＮ装置。
【請求項６】
請求項４または５のいずれか一項に記載の無線ＬＡＮ装置において、
上記ＲＦインタフェース部は、上記ＲＳＳＩ起動によるＯＦＤＭ受信の状態に移行した後、ＯＦＤＭエンドトリガが発生した場合に両面待ちの状態に移行させ、
上記ＯＦＤＭサーチ起動によるＯＦＤＭ受信の状態に移行した後、ＯＦＤＭエンドトリガもしくはＯＦＤＭシンクロストリガが発生した場合に両面待ちの状態に移行させ、
上記ＤＳＳＳ受信の状態に移行した後、ＤＳＳＳエンドトリガが発生した場合に両面待ちの状態に移行させることを特徴とする無線ＬＡＮ装置。
【発明の詳細な説明】
【技術分野】
【０００１】
本発明は、無線ＬＡＮ装置におけるＤＳＳＳ／ＯＦＤＭ両面待ち受信方法および無線ＬＡＮ装置に関する。
【背景技術】
【０００２】
無線ＬＡＮ技術はＩＥＥＥ８０２．１１（Institute of Electrical and Electronics Engineers 802.11）において標準化が進み、従前の有線式のネットワークに代え、あるいは有線式のネットワークと並存する形で無線ＬＡＮの導入が進んでいる。
【０００３】
ＩＥＥＥ８０２．１１ｂではＤＳＳＳ（Direct Sequence Spread Spectrum）方式が規定され、ＩＥＥＥ８０２．１１ａではＯＦＤＭ（Orthogonal Frequency Division Multiplexing）方式が規定されており、ＩＥＥＥ８０２．１１ｇではこれらのＤＳＳＳ方式とＯＦＤＭ方式の両方式に対応する内容が規定されている。
【０００４】
ところで、ＤＳＳＳ方式とＯＦＤＭ方式の両方式に対応する場合、アンテナおよび無線周波信号処理を行うＲＦ（Radio Frequency）部は共用できるものの、ベースバンド信号の処理を行うＢＢ（Base Band）部における両方式の信号処理は異なることから、ＤＳＳＳ方式に対応するＤＳＳＳ部とＯＦＤＭ方式に対応するＯＦＤＭ部とが別個に設けられている。そして、ＤＳＳＳ部とＯＦＤＭ部には、ＲＦ部のゲインを制御するＡＧＣ（Automatic Gain Control）処理部、所望の方式の信号であるか否かを検出する相関検出部、データを復調する復調部等がそれぞれ設けられている。ここで、それぞれの方式に対応する復調部における適切な入力ゲインは一般に異なることから、ＲＦ部のＡＧＣはＤＳＳＳ部とＯＦＤＭ部とで個別に行う必要があり、同時に動作させることはできない。
【０００５】
従来、このようなＤＳＳＳ方式とＯＦＤＭ方式の両方式に対応する場合の一方法として、ＲＦ部のＡＧＣは信号波形のピーク対平均比が大きく増幅時の歪が生じやすいＯＦＤＭ部側で行い、ＤＳＳＳ部ではＲＦ部から得られた受信信号を一律に一定のゲイン（例えば６ｄＢ）だけデジタル的に増幅して復調部に入力することで対応していた。
【発明の開示】
【発明が解決しようとする課題】
【０００６】
従来は、上述したように、ＲＦ部のＡＧＣはＯＦＤＭ部側で行い、ＤＳＳＳ部ではＲＦ部から得られた受信信号を一律に一定のゲインだけデジタル的に増幅することで対応していたが、この方法では次のような問題点があった。
【０００７】
すなわち、ＯＦＤＭ部側は自己の必要とする最適なゲインにＡＧＣを行えるため問題はないが、ＤＳＳＳ部側はＯＦＤＭ部側の受信信号を一定倍しただけのものであるため、実際の状況下では必ずしも最適なゲインとはならず、十分な受信性能を発揮できない場合があった。また、ＤＳＳＳ部側に与えられる受信信号はデジタル的に増幅されるものであるため、受信信号の分解能が低下し、この観点からも十分な受信性能を発揮できないものであった。
【０００８】
本発明は上記の従来の問題点に鑑み提案されたものであり、その目的とするところは、ＤＳＳＳ方式とＯＦＤＭ方式の両方式に対応する場合において、ＤＳＳＳ方式に対応するＤＳＳＳ部とＯＦＤＭ方式に対応するＯＦＤＭ部とを最適な状態で動作させることのできるＤＳＳＳ／ＯＦＤＭ両面待ち受信方法および無線ＬＡＮ装置を提供することにある。
【課題を解決するための手段】
【０００９】
上記の課題を解決するため、本発明にあっては、請求項１に記載されるように、ＤＳＳＳ方式およびＯＦＤＭ方式の両方式に対応した無線ＬＡＮ装置における受信方法であって、ＲＳＳＩトリガ、ＯＦＤＭサーチトリガ、ＤＳＳＳサーチトリガのいずれも発生していない場合に両面待ちの状態を維持する工程と、両面待ちの状態でＲＳＳＩトリガが発生した場合にＲＳＳＩ起動によるＯＦＤＭ受信の状態に移行する工程と、ＲＳＳＩ起動によるＯＦＤＭ受信の状態でＯＦＤＭシンクロストリガが発生した場合にＤＳＳＳ受信の状態に移行する工程と、両面待ちの状態でＯＦＤＭサーチトリガが発生した場合にＯＦＤＭサーチ起動によるＯＦＤＭ受信の状態に移行する工程と、ＯＦＤＭサーチ起動によるＯＦＤＭ受信の状態でＤＳＳＳサーチトリガが発生しかつＯＦＤＭシンクロストリガが発生した場合にＤＳＳＳ受信の状態に移行する工程と、両面待ちの状態でＤＳＳＳサーチトリガが発生した場合にＤＳＳＳ受信の状態に移行する工程とを備えたことを特徴とするＤＳＳＳ／ＯＦＤＭ両面待ち受信方法を要旨としている。
【００１０】
また、請求項２に記載されるように、請求項１に記載のＤＳＳＳ／ＯＦＤＭ両面待ち受信方法において、上記ＲＳＳＩ起動によるＯＦＤＭ受信の状態に移行した後、ＯＦＤＭ受信中に当該ＲＳＳＩ起動によるＯＦＤＭ受信の状態を維持する工程と、上記ＯＦＤＭサーチ起動によるＯＦＤＭ受信の状態に移行した後、ＯＦＤＭ受信中に当該ＯＦＤＭサーチ起動によるＯＦＤＭ受信の状態を維持する工程と、上記ＤＳＳＳ受信の状態に移行した後、ＤＳＳＳ受信中に当該ＤＳＳＳ受信の状態を維持する工程とを備えるようにすることができる。
【００１１】
また、請求項３に記載されるように、請求項１または２のいずれか一項に記載のＤＳＳＳ／ＯＦＤＭ両面待ち受信方法において、上記ＲＳＳＩ起動によるＯＦＤＭ受信の状態に移行した後、ＯＦＤＭエンドトリガが発生した場合に両面待ちの状態に移行する工程と、上記ＯＦＤＭサーチ起動によるＯＦＤＭ受信の状態に移行した後、ＯＦＤＭエンドトリガもしくはＯＦＤＭシンクロストリガが発生した場合に両面待ちの状態に移行する工程と、上記ＤＳＳＳ受信の状態に移行した後、ＤＳＳＳエンドトリガが発生した場合に両面待ちの状態に移行する工程とを備えるようにすることができる。
【００１２】
また、請求項４に記載されるように、ＤＳＳＳ方式およびＯＦＤＭ方式の両方式に対応した無線ＬＡＮ装置であって、ＲＦ部とのインタフェースを行い、ＤＳＳＳ方式の復調を行うＤＳＳＳ部とＯＦＤＭ方式の復調を行うＯＦＤＭ部の動作を制御するＲＦインタフェース部を備え、当該ＲＦインタフェース部は、ＲＳＳＩトリガ、ＯＦＤＭサーチトリガ、ＤＳＳＳサーチトリガのいずれも発生していない場合に両面待ちの状態を維持させ、両面待ちの状態でＲＳＳＩトリガが発生した場合にＲＳＳＩ起動によるＯＦＤＭ受信の状態に移行させ、ＲＳＳＩ起動によるＯＦＤＭ受信の状態でＯＦＤＭシンクロストリガが発生した場合にＤＳＳＳ受信の状態に移行させ、両面待ちの状態でＯＦＤＭサーチトリガが発生した場合にＯＦＤＭサーチ起動によるＯＦＤＭ受信の状態に移行させ、ＯＦＤＭサーチ起動によるＯＦＤＭ受信の状態でＤＳＳＳサーチトリガが発生しかつＯＦＤＭシンクロストリガが発生した場合にＤＳＳＳ受信の状態に移行させ、両面待ちの状態でＤＳＳＳサーチトリガが発生した場合にＤＳＳＳ受信の状態に移行させることを特徴とする無線ＬＡＮ装置として構成することができる。
【００１３】
また、請求項５に記載されるように、請求項４に記載の無線ＬＡＮ装置において、上記ＲＦインタフェース部は、上記ＲＳＳＩ起動によるＯＦＤＭ受信の状態に移行した後、ＯＦＤＭ受信中に当該ＲＳＳＩ起動によるＯＦＤＭ受信の状態を維持させ、上記ＯＦＤＭサーチ起動によるＯＦＤＭ受信の状態に移行した後、ＯＦＤＭ受信中に当該ＯＦＤＭサーチ起動によるＯＦＤＭ受信の状態を維持させ、上記ＤＳＳＳ受信の状態に移行した後、ＤＳＳＳ受信中に当該ＤＳＳＳ受信の状態を維持させるようにすることができる。
【００１４】
また、請求項６に記載されるように、請求項４または５のいずれか一項に記載の無線ＬＡＮ装置において、上記ＲＦインタフェース部は、上記ＲＳＳＩ起動によるＯＦＤＭ受信の状態に移行した後、ＯＦＤＭエンドトリガが発生した場合に両面待ちの状態に移行させ、上記ＯＦＤＭサーチ起動によるＯＦＤＭ受信の状態に移行した後、ＯＦＤＭエンドトリガもしくはＯＦＤＭシンクロストリガが発生した場合に両面待ちの状態に移行させ、上記ＤＳＳＳ受信の状態に移行した後、ＤＳＳＳエンドトリガが発生した場合に両面待ちの状態に移行させるようにすることができる。
【発明の効果】
【００１５】
本発明のＤＳＳＳ／ＯＦＤＭ両面待ち受信方法および無線ＬＡＮ装置にあっては、ＤＳＳＳ方式とＯＦＤＭ方式の両方式に対応する場合において、信号の受信状態に応じてＤＳＳＳ方式に対応するＤＳＳＳ部とＯＦＤＭ方式に対応するＯＦＤＭ部とを択一的に動作させるようにしているので、ＡＧＣ等の処理を個別に行わせることができ、両者を最適な状態で動作させることができる。
【発明を実施するための最良の形態】
【００１６】
以下、本発明の好適な実施形態につき説明する。
【００１７】
図１は本発明の一実施形態にかかる無線ＬＡＮ装置の構成例を示す図である。なお、受信に関する機能部のみを示しており、送信に関する機能部は省略してある。
【００１８】
図１において、無線ＬＡＮ装置は、アンテナ１Ａ、１Ｂと、単体のＩＣチップから構成されるＲＦ部２と、別の単体のＩＣチップから構成されるＢＢ／ＭＡＣ部３とから構成され、ＢＢ／ＭＡＣ部３は無線ＬＡＮにより通信を行うアプリケーションを含む上位の装置であるＰＣ（Personal Computer）、プリンタ等のホストＣＰＵ４と接続されるようになっている。
【００１９】
また、ＢＢ／ＭＡＣ部３は、ＲＦ部２から出力されるコンバージョン（搬送波周波数の信号とのミキシング）後の受信信号のＩ成分（ＲＸ  Ｉ）、Ｑ成分（ＲＸ  Ｑ）および受信信号強度を示すＲＳＳＩ（Receive Signal Strength Indication）信号を入力してデジタル値に変換するＡ／Ｄ変換部３１と、ＲＦ部２とのインタフェースを行い、次に説明するＯＦＤＭ部３３およびＤＳＳＳ部３４の動作を制御するＲＦインタフェース部３２と、ＯＦＤＭ方式の復調を行うＯＦＤＭ部３３と、ＤＳＳＳ方式の復調を行うＤＳＳＳ部３４とを備えている。なお、ＯＦＤＭ部３３とＤＳＳＳ部３４には、ＲＦ部２のゲインを制御するＡＧＣ処理部３３１、３４１、所望の方式の信号であるか否かを検出する相関検出部３３２、３４２、データを復調する復調部３３３、３４３等がそれぞれ設けられている。
【００２０】
ＲＦインタフェース部３２とＯＦＤＭ部３３、ＤＳＳＳ部３４との間で交わされる信号として、本発明に関係するものは次の信号である。
【００２１】
ＲＸ  Ｉ，Ｑ：デジタル化された受信信号
ＲＳＳＩ＿ＴＲＩＧ：キャリア検出時に発生するトリガ信号
ＯＦＤＭ＿ＡＣＴ：ＯＦＤＭ部３３の動作中に発生する信号
ＯＦＤＭ＿ＳＥＡＲＣＨ＿ＴＲＩＧ：ＯＦＤＭ部３３の相関検出部３３２によりＯＦＤＭ信号が検出された場合に発生するトリガ信号
ＯＦＤＭ＿ＳＹＮＣＬＯＳＳ＿ＴＲＩＧ：ＯＦＤＭ部３３の復調部３３３において同期誤りが発生した場合に発生するトリガ信号
ＯＦＤＭ＿ＥＮＤ＿ＴＲＩＧ：ＯＦＤＭ部３３の復調部３３３において復調が終了した場合に発生するトリガ信号
ＤＳＳＳ＿ＡＣＴ：ＤＳＳＳ部３４の動作中に発生する信号
ＤＳＳＳ＿ＳＥＡＲＣＨ＿ＴＲＩＧ：ＤＳＳＳ部３４の相関検出部３４２によりＤＳＳＳ信号が検出された場合に発生するトリガ信号
ＤＳＳＳ＿ＥＮＤ＿ＴＲＩＧ：ＤＳＳＳ部３４の復調部３４３において復調が終了した場合に発生するトリガ信号
更に、ＢＢ／ＭＡＣ部３は、次に説明するＭＡＣ部３６とのインタフェースを行うＭＡＣインタフェース部３５と、ＣＳＭＡ／ＣＡ（Carrier Sense Multiple Access with Collision Avoidance）等のメディアアクセス制御（MAC: Media Access Control）を行うＭＡＣ部３６とを備えている。
【００２２】
図２はＤＳＳＳ方式およびＯＦＤＭ方式の両方式に対応した１１ｇ（ＩＥＥＥ８０２．１１ｇ）モードにおける処理を示すステート図である。なお、制御処理はＢＢ／ＭＡＣ部３のＲＦインタフェース部３２によって行われる。
【００２３】
図２において、状態としては、アイドル（ＩＤＬＥ）状態である両面待ちの状態１００と、ＲＳＳＩ起動によるＯＦＤＭ受信の状態１０１と、ＯＦＤＭサーチ起動によるＯＦＤＭ受信の状態１０２と、ＤＳＳＳ受信の状態１０３とが存在する。
【００２４】
先ず、ＲＳＳＩトリガ（ＲＳＳＩ＿ＴＲＩＧ）、ＯＦＤＭサーチトリガ（ＯＦＤＭ＿ＳＥＡＲＣＨ＿ＴＲＩＧ）、ＤＳＳＳサーチトリガ（ＤＳＳＳ＿ＳＥＡＲＣＨ＿ＴＲＩＧ）のいずれも発生していない場合には、両面待ちの状態１００を維持する（ステップＳ１）。
【００２５】
次に、両面待ちの状態１００でＲＳＳＩトリガが発生した場合には、ＲＳＳＩ起動によるＯＦＤＭ受信の状態１０１に移行する（ステップＳ２）。図３はＲＳＳＩ起動によるＯＦＤＭ受信の処理を示すタイムチャートである。
【００２６】
図２に戻り、ＲＳＳＩ起動によるＯＦＤＭ受信の状態１０１に入ってからのＯＦＤＭ受信中にあっては、このＲＳＳＩ起動によるＯＦＤＭ受信の状態１０１を維持し（ステップＳ３）、ＯＦＤＭエンドトリガ（ＯＦＤＭ＿ＥＮＤ＿ＴＲＩＧ）が発生した場合には、両面待ちの状態１００に移行する（ステップＳ４）。
【００２７】
また、ＲＳＳＩ起動によるＯＦＤＭ受信の状態１０１でＯＦＤＭシンクロストリガ（ＯＦＤＭ＿ＳＹＮＣＬＯＳＳ＿ＴＲＩＧ）が発生した場合には、ＤＳＳＳ受信の状態１０３に移行する（ステップＳ５）。図４はＲＳＳＩ起動によるＯＦＤＭ受信から移行するＤＳＳＳ受信の処理を示すタイムチャートである。
【００２８】
すなわち、何らかの信号が到来した場合（ＲＳＳＩ信号の立ち上がりにより検出）は、プリアンブルにおける処理時間の短いＯＦＤＭ方式を先に試み、ＯＦＤＭ方式で復調できなかった場合はＤＳＳＳ方式による処理に切り替えるものである。なお、ＯＦＤＭ方式の復調で失敗した後にＤＳＳＳ方式に切り替える場合、既に８μｓｅｃ程度（ＯＦＤＭ方式のプリアンブルでの処理として、最初のシンボルでの相関検出による初期トリガの発生（０．８μｓｅｃ）と、ＲＳＳＩ信号を利用したＡＧＣ処理とバースト受信時のアンテナ切替（最大２回）の処理とに５μｓｅｃ。その後の詳細な相関検出、同期処理、周波数オフセットの粗調整に３μｓｅｃ。）を費やしているが、ＤＳＳＳ方式によるプリアンブルの時間が７２μｓｅｃあり、ＤＳＳＳ方式によるＡＧＣ処理（ＲＳＳＩ信号を利用したＡＧＣ処理は行えないため、ゲインが所定値になるまで何回かのフィードバック）を１０μｓｅｃ程度で行うことができるため、その後の初期トレーニングに５４μｓｅｃかかっても時間内に処理を完了することができる。
【００２９】
次に、図２に戻り、両面待ちの状態１００でＯＦＤＭサーチトリガが発生した場合には、ＯＦＤＭサーチ起動によるＯＦＤＭ受信の状態１０２に移行する（ステップＳ６）。図５はＯＦＤＭサーチ起動によるＯＦＤＭ受信の処理を示すタイムチャートである。
【００３０】
図２に戻り、ＯＦＤＭサーチ起動によるＯＦＤＭ受信の状態１０２に入ってからのＯＦＤＭ受信中にあっては、このＯＦＤＭサーチ起動によるＯＦＤＭ受信の状態１０２を維持し（ステップＳ７）、ＯＦＤＭエンドトリガが発生した場合または単独でＯＦＤＭシンクロストリガが発生した場合には、両面待ちの状態１００に移行する（ステップＳ８）。
【００３１】
また、ＯＦＤＭサーチ起動によるＯＦＤＭ受信の状態１０２でＤＳＳＳサーチトリガが発生しかつＯＦＤＭシンクロストリガが発生した場合には、ＤＳＳＳ受信の状態１０３に移行する（ステップＳ９）。図６はＯＦＤＭサーチ起動によるＯＦＤＭ受信から移行するＤＳＳＳ受信の処理を示すタイムチャートである。この場合は、先にＯＦＤＭサーチトリガが発生していたため、単にＯＦＤＭシンクロストリガが発生しただけではなく、ＤＳＳＳサーチトリガが発生していることを条件に移行するようにしている。なお、この場合もプリアンブルにおける処理時間の短いＯＦＤＭ方式を先に行っているので、ＯＦＤＭ方式の復調で失敗した後にＤＳＳＳ方式に移行してもプリアンブル時間内に処理を完了することができる。
【００３２】
次に、図２に戻り、両面待ちの状態１００でＤＳＳＳサーチトリガが発生した場合には、ＤＳＳＳ受信の状態１０３に移行する（ステップＳ１０）。図７はＤＳＳＳサーチ起動によるＤＳＳＳ受信の処理を示すタイムチャートである。
【００３３】
図２に戻り、ＤＳＳＳ受信中にあっては、このＤＳＳＳ受信の状態１０３を維持し（ステップＳ１１）、ＤＳＳＳエンドトリガが発生した場合には、両面待ちの状態１００に移行する（ステップＳ１２）。
【００３４】
次に、図８は１１ａモード（ＩＥＥＥ８０２．１１ａ）における処理を示すステート図である。１１ａモードではＯＦＤＭ方式のみに対応すればよいが、１１ｇモードとの整合性を保つために、同様の状態を持つようにしている。状態１００、１０１、１０２およびその間の移行処理は図２に示したものと同様である。
【００３５】
次に、図９は１１ｂモード（ＩＥＥＥ８０２．１１ｂ）における処理を示すステート図である。１１ｂモードではＤＳＳＳ方式のみに対応すればよいが、１１ｇモードとの整合性を保つために、同様の状態を持つようにしている。状態１００、１０３およびその間の移行処理は図２に示したものと同様である。
【００３６】
このように、ＤＳＳＳ方式とＯＦＤＭ方式の両方式に対応する場合において、信号の受信状態に応じてＤＳＳＳ方式に対応するＤＳＳＳ部とＯＦＤＭ方式に対応するＯＦＤＭ部とを択一的に動作させるようにしているので、ＡＧＣ等の処理を個別に行わせることができ、両者を最適な状態で動作させることができる。すなわち、ＯＦＤＭ部３３とＤＳＳＳ部３４のうち、相関検出部３３２、３４２については常に動作させ、その検出動作を考慮に入れてＯＦＤＭ部３３とＤＳＳＳ部３４のシーケンシャルな動作を行わせているので、最適なＡＧＣ動作を行わせることができるとともに、明らかにＤＳＳＳ信号が到来しているのにＯＦＤＭ方式から一律に実行するといった非効率的な動作を排除することができる。
【００３７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００３８】
【図１】本発明の一実施形態にかかる無線ＬＡＮ装置の構成例を示す図である。
【図２】１１ｇモードにおける処理を示すステート図である。
【図３】ＲＳＳＩ起動によるＯＦＤＭ受信の処理を示すタイムチャートである。
【図４】ＲＳＳＩ起動によるＯＦＤＭ受信から移行するＤＳＳＳ受信の処理を示すタイムチャートである。
【図５】ＯＦＤＭサーチ起動によるＯＦＤＭ受信の処理を示すタイムチャートである。
【図６】ＯＦＤＭサーチ起動によるＯＦＤＭ受信から移行するＤＳＳＳ受信の処理を示すタイムチャートである。
【図７】ＤＳＳＳサーチ起動によるＤＳＳＳ受信の処理を示すタイムチャートである。
【図８】１１ａモードにおける処理を示すステート図である。
【図９】１１ｂモードにおける処理を示すステート図である。
【符号の説明】
【００３９】
１Ａ、１Ｂ    アンテナ
２            ＲＦ部
３            ＢＢ／ＭＡＣ部
３１          Ａ／Ｄ変換部
３２          ＲＦインタフェース部
３３          ＯＦＤＭ部
３３１        ＡＧＣ処理部
３３２        相関検出部
３３３        復調部
３４          ＤＳＳＳ部
３４１        ＡＧＣ処理部
３４２        相関検出部
３４３        復調部
３５          ＭＡＣインタフェース部
３６          ＭＡＣ部
４            ホストＣＰＵ
【図１】
2006295463.tif 000003
【図２】
2006295463.tif 000004
【図３】
2006295463.tif 000005
【図４】
2006295463.tif 000006
【図５】
2006295463.tif 000007
【図６】
2006295463.tif 000008
【図７】
2006295463.tif 000009
【図８】
2006295463.tif 000010
【図９】
2006295463.tif 000011